(57)【要約】【課題】改善された電子機器を提供する。【解決手段】電子機器は、電源がオン状態である通常モードと、疑似電源オフモードと、機内モードとを有する。疑似電源オフモードは、電源がオン状態であり、通常モードの一部の機能が制限されているモードである。機内モードは、電源がオン状態であり、所定基準に基づき電子機器１の一部の通信機能が制限されているモードである。電子機器は制御部を備える。制御部は、機内モードが有効で、かつ疑似電源オフモードであるときに、防犯ブザー機能を実行するときは、位置情報を送信する通信機能の制限を解除する。【選択図】図３
2018110340.tif 000002
【特許請求の範囲】
【請求項１】
電源がオン状態である通常モードと、
電源がオン状態であり、前記通常モードの一部の機能が制限されている疑似電源オフモードと、
電源がオン状態であり、所定基準に基づき電子機器の一部の通信機能が制限されている機内モードと、を有する電子機器であって、
前記電子機器は制御部を備え、
前記制御部は、前記機内モードが有効で、かつ前記疑似電源オフモードであるときに、防犯ブザー機能を実行するときは、位置情報を送信する通信機能の制限を解除する、電子機器。
【請求項２】
請求項１に記載の電子機器において、
前記機内モードが有効で、かつ前記疑似電源オフモードである状態は、前記電子機器を前記機内モードに移行させた後、前記電子機器を前記疑似電源オフモードに移行させることで生じる、電子機器。
【請求項３】
請求項１又は２に記載の電子機器において、
前記制御部は、前記機内モードが有効で、かつ前記疑似電源オフモードであるときに、防犯ブザー機能を実行するときは、前記機内モードを解除する、電子機器。
【請求項４】
請求項３に記載の電子機器において、
前記制御部は、前記機内モードを解除した後に、前記電子機器の位置情報を送信する、電子機器。
【発明の詳細な説明】
【技術分野】
【０００１】
本発明は、電子機器に関する。
【背景技術】
【０００２】
従来から、疑似的に電源をオフにする電子機器が知られている（例えば、特許文献１）。特許文献１に記載の電子機器では、公共の場（例えば、学校、映画館及び病院等）で、電源がオフ状態であるかのように装うため疑似的に電源がオフにされる。
【先行技術文献】
【特許文献】
【０００３】
【特許文献１】特開２０１２−１４７４００号公報
【発明の概要】
【発明が解決しようとする課題】
【０００４】
将来的に、上記電子機器には、機内モード等の多様な機能が組み込まれることが想定される。これに関し、上記電子機器には、改善の余地がある。
【０００５】
かかる点に鑑みてなされた本発明の目的は、改善された電子機器を提供することにある。
【課題を解決するための手段】
【０００６】
本発明の一実施形態に係る電子機器は、電源がオン状態である通常モードと、疑似電源オフモードと、機内モードとを有する。該疑似電源オフモードは、電源がオン状態であり、前記通常モードの一部の機能が制限されているモードである。前記機内モードは、電源がオン状態であり、所定基準に基づき電子機器１の一部の通信機能が制限されているモードである。前記電子機器は制御部を備える。前記制御部は、前記機内モードが有効で、かつ前記疑似電源オフモードであるときに、防犯ブザー機能を実行するときは、位置情報を送信する通信機能の制限を解除する。
【発明の効果】
【０００７】
本発明の一実施形態によれば、改善された電子機器を提供することができる。
【図面の簡単な説明】
【０００８】
【図１】本発明の一実施形態に係る電子機器を正面から見たときの外観斜視図である。
【図２】本発明の一実施形態に係る電子機器を背面から見たときの外観斜視図である。
【図３】本発明の一実施形態に係る電子機器の概略構成を示す機能ブロック図である。
【図４】本発明の一実施形態に係る電子機器の動作を示すフローチャートである。
【発明を実施するための形態】
【０００９】
以下、本発明に係る実施形態について、図面を参照して説明する。まず、図１及び図２を参照しながら、本発明の一実施形態に係る電子機器１の外観について説明する。
【００１０】
図１は、本発明の一実施形態に係る電子機器１を正面から見たときの外観斜視図である。図２は、本発明の一実施形態に係る電子機器１を背面から見たときの外観斜視図である。電子機器１は、例えば、スマートフォンである。電子機器１は、フロントフェイス１Ａと、バックフェイス１Ｂと、サイドフェイス１Ｃとを備える。フロントフェイス１Ａは、電子機器１の正面であり、バックフェイス１Ｂは、電子機器１の背面である。サイドフェイス１Ｃは、フロントフェイス１Ａとバックフェイス１Ｂとを全周に亘って接続する側面である。
【００１１】
電子機器１は、フロントフェイス１Ａに、ディスプレイ２と、操作キー３Ａ，３Ｂ，３Ｃと、カメラ４Ａと、レシーバ５と、ランプ６と、近接センサ７とを備える。電子機器１は、バックフェイス１Ｂに、カメラ４Ｂと、ライト８と、スピーカ９とを備える。電子機器１は、サイドフェイス１Ｃに、音量キー３Ｄと、電源キー３Ｅと、防犯ブザーキー３Ｆと、マイク１０と、コネクタ１２とを備える。
【００１２】
次に、電子機器１の機能について、図３を参照して説明する。
【００１３】
図３は、本発明の一実施形態に係る電子機器１の概略構成を示す機能ブロック図である。電子機器１は、ディスプレイ２と、キー３と、カメラ４Ａ，４Ｂと、レシーバ５と、ランプ６と、近接センサ７と、ライト８と、スピーカ９と、マイク１０と、バイブ１１と、コネクタ１２と、バッテリ１３と、第１無線ユニット１４と、第２無線ユニット１５と、通信部としての第３無線ユニット１６と、記憶部としてのストレージ２０と、制御部としてのコントローラ２１とを備える。
【００１４】
ディスプレイ２は、表示パネル２Ａを含み、表示機能を有する。表示パネル２Ａは、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏ  Ｌｕｍｉｎｅｓｃｅｎｃｅ）又は無機ＥＬ等で構成される。表示パネル２Ａは、例えば、文字、画像、記号又は図形等を表示する。
【００１５】
また、ディスプレイ２は、入力機能を有するタッチセンサ２Ｂを含む。タッチセンサ２Ｂは、透明なシート状に形成され、表示パネル２Ａ上に配置される。ユーザは、タッチセンサ２Ｂを透かして表示パネル２Ａを視認する。タッチセンサ２Ｂは、例えば、ユーザの指及びスタライスペン等がディスプレイ２に接触した位置を、ユーザのディスプレイ２に対する入力として検出する。
【００１６】
キー３は、ハードキーとしての入力機能を有する。キー３は、ユーザによって操作される。コントローラ２１は、キー３と協働して、キー３に対するユーザ操作を入力として検出する。キーに対するユーザ操作は、例えば、クリック、ダブルクリック、プッシュ、ロングプッシュ及びマルチプッシュである。キー３は、操作キー３Ａ〜３Ｃと、音量キー３Ｄと、電源キー３Ｅと、防犯ブザーキー３Ｆとを含む。
【００１７】
操作キー３Ａ〜３Ｃは、電子機器１が電源オン状態であるときに、ディスプレイ２に所望の画面を表示させるためのキーである。ハードキーとしての操作キー３Ａ〜３Ｃには、例えば、押しボタン式のキーが採用される。なお、操作キー３Ａ〜３Ｃはソフトキーであってもよく、この場合、操作キー３Ａ〜３Ｃには、例えば、タッチセンサ式のキーが採用される。操作キー３Ａ〜３Ｃがソフトキーである場合、タッチセンサ２Ｂの入力機能が、操作キー３Ａ〜３Ｃに対するユーザ操作を検出してもよい。この場合、操作キー３Ａ〜３Ｃは、ディスプレイ２（タッチセンサ２Ｂ）内に配置されていてもよい。
【００１８】
操作キー３Ａは、例えば、バックキーである。ユーザは、ディスプレイ２に表示されている現在の画面を１つ前の画面に戻したいとき、操作キー３Ａを押す。
【００１９】
操作キー３Ｂは、例えば、ホームキーである。ユーザは、ディスプレイ２にホーム画面を表示させたいとき、操作キー３Ｂを押す。
【００２０】
操作キー３Ｃは、例えば、メニューキーである。ユーザは、ディスプレイ２にメニュー画面を表示させたいとき、操作キー３Ｃを押す。さらに、ユーザは、ディスプレイ２に表示されたメニュー画面を指等でタッチすることで、ディスプレイ２に電子機器１の設定画面を表示させることができる。加えて、ユーザは、ディスプレイ２に表示された電子機器１の設定画面から、電子機器１を機内モードに移行させることができる。機内モードについては後述する。
【００２１】
音量キー３Ｄは、レシーバ５及びスピーカ９から出力される音声の音量を調整するためのキーである。音量キー３Ｄは、例えば、アップキー及びダウンキーの２つのキーから構成される。ハードキーとしてのアップキー及びダウンキーには、例えば、押しボタン式のキーが採用される。ユーザは、レシーバ５又はスピーカ９から出力される音声の音量を上げたいとき、「＋」の印が付されたアップキーを押す。また、ユーザは、レシーバ５又はスピーカ９から出力される音声の音量を下げたいとき、「−」の印が付されたダウンキーを押す。
【００２２】
電源キー３Ｅは、電子機器１を起動させるためのキーである。ハードキーとしての電源キー３Ｅには、例えば、押しボタン式のキーが採用される。ユーザは、電源がオフ状態である電子機器１を起動させたいとき、電源キー３Ｅを押す。また、ユーザは、電源キー３Ｅを長く（例えば、１秒以上）押して、通常モードである電子機器１を、疑似電源オフモードに移行させることもできる。さらに、ユーザは、電子機器１の疑似電源オフモードを解除したいときは、電源キー３Ｅを長く（例えば、１秒以上）押す。通常モード及び疑似電源オフモードについては後述する。
【００２３】
防犯ブザーキー３Ｆは、電子機器１に防犯ブザー機能を実行させるためのキーである。ハードキーとしての防犯ブザーキー３Ｆには、例えば、押しボタン式のキーが採用される。ユーザは、例えば、不審者と遭遇したとき、防犯ブザーキー３Ｆを押す。
【００２４】
なお、防犯ブザーキー３Ｆの入力機能は、電子機器１が通常モードであるときだけではなく、電子機器１が疑似電源オフモードであるときも、有効にされている。これは、電子機器１において、通常モードであるときだけではなく、疑似電源オフモードであるときも、防犯ブザー機能を実行可能にするためである。防犯ブザー機能については後述する。
【００２５】
カメラ４Ａ，４Ｂは、撮影機能を有する。カメラ４Ａは、いわゆるインカメラであり、フロントフェイス１Ａに面している物体を撮影する。カメラ４Ｂは、いわゆるアウトカメラであり、バックフェイス１Ｂに面している物体を撮影する。
【００２６】
レシーバ５は、コントローラ２１から送信される音声信号を、音声に変換して出力する。レシーバ５からは、通話中、通話している相手の声が出力される。
【００２７】
ランプ６は、報知機能を有する。ランプ６は、例えば、ＬＥＤ（Ｌｉｇｈｔ  Ｅｍｉｔｔｉｎｇ  Ｄｉｏｄｅ）を含む。例えば、ランプ６は、バッテリ１３が充電されているときに点灯して、バッテリ１３が充電中であることを、ユーザに対して報知する。また、例えば、ランプ６は、メールの受信があると点灯して、メールの受信があったことをユーザに対して報知する。また、例えば、ランプ６は、着信があったときに点灯して、着信があったことを、ユーザに対して報知する。
【００２８】
近接センサ７は、検出機能を有する。近接センサ７は、近隣の物体の存在を非接触で検出する。例えば、ユーザは、電子機器１を用いて通話するとき、ディスプレイ２を顔に近付ける。このとき、近接センサ７は、ユーザの顔を、近隣の物体として検出する。コントローラ２１は、近接センサ７がユーザの顔を近隣の物体として検出すると、ディスプレイ２の表示機能をオフ状態にする。
【００２９】
ライト８は、発光機能を有する。ライト８は、例えば、ＬＥＤを含む。例えば、ライト８は、カメラ４Ｂが物体を撮影するときに発光する。また、例えば、ライト８は、簡易的な照明として発光することもできる。
【００３０】
スピーカ９は、報知機能を有する。例えば、スピーカ９は、着信があるときに所定の着信音を出力して、着信があることを、ユーザに対して報知する。また、例えば、スピーカ９は、予め設定された時刻になると所定のアラーム音を出力して、所定時刻であることを、ユーザに対して報知する。
【００３１】
マイク１０は、通話中のユーザの声及び付近の音を、音声信号に変換してコントローラ２１に送信する。
【００３２】
バイブ１１は、報知機能を有する。バイブ１１は、圧電素子等の振動子を含む。例えば、バイブ１１は、メールを受信したときに振動して、メールを受信したことを、ユーザに対して報知する。また、例えば、バイブ１１は、着信中に振動して、着信中であることを、ユーザに対して報知する。
【００３３】
コネクタ１２は、他の装置が接続される端子である。コネクタ１２は、例えば、ＵＳＢ（Ｕｎｉｖｅｒｓａｌ  Ｓｅｒｉａｌ  Ｂｕｓ）端子である。コネクタ１２に、充電器のＵＳＢケーブルが接続されると、バッテリ１３が充電される。バッテリ１３は、電子機器１内の構成要素に電力を供給する。
【００３４】
第１無線ユニット１４は、通信機能を有する。第１無線ユニット１４は、基地局を介して、他の電子機器及びインターネットに接続されたサーバ等と通信する。第１無線ユニット１４は、例えば、ＬＴＥ（Ｌｏｎｇ  Ｔｅｒｍ  ＥＶｏｌｕｔｉｏｎ）等の通信規格に基づき通信する。
【００３５】
第２無線ユニット１５は、受信機能を有する。第２無線ユニット１５は、ＧＰＳ（Ｇｌｏｂａｌ  Ｐｏｓｉｔｉｏｎｉｎｇ  Ｓｙｓｔｅｍ）衛星からの電波を受信する。第２無線ユニット１５がＧＰＳ衛星からの電波を受信することで、コントローラ２１は電子機器１の位置情報を取得する。
【００３６】
第３無線ユニット１６は、通信機能を有する。第３無線ユニット１６の通信機能には、Ｂｌｕｅｔｏｏｔｈ（登録商標）に準拠した通信機能と、ＷｉＦｉ（Ｗｉｒｅｌｅｓｓ  Ｆｉｄｅｌｉｔｙ）に準拠した通信機能とが含まれる。第３無線ユニット１６は、Ｂｌｕｅｔｏｏｔｈ（登録商標）に準拠した通信機能によって、他の装置と近距離無線通信する。また、第３無線ユニット１６は、ＷｉＦｉに準拠した通信機能によって、ＷｉＦｉスポットと接続することもできる。
【００３７】
なお、第３無線ユニット１６の通信機能に、例えば、ＩＳＯ／ＩＥＣ１４４４３又はＩＳＯ／ＩＥＣ１８０９２に準拠した通信機能が含まれていてもよい。この通信機能によって、電子機器１において、非接触型ＩＣカード技術を利用することが可能になる。例えば、ユーザは、商品を店で購入するときに、電子機器１を所定のリーダにかざすことで、その商品を精算することが可能になる。
【００３８】
ストレージ２０は、記憶部としてプログラム及びデータを記憶する。また、ストレージ２０は、コントローラ２１の処理結果を一時的に記憶する記憶部としても利用される。ストレージ２０は、半導体記憶デバイス及び磁気記憶デバイス等の任意の記憶デバイスで構成してもよい。また、ストレージ２０は、複数の種類の記憶デバイスで構成してもよい。また、ストレージ２０は、メモリカード等の可搬の記憶媒体と、記憶媒体の読み取り装置との組み合わせで構成してもよい
【００３９】
ストレージ２０に記憶されるプログラムには、フォアグランド又はバックグランドで実行されるアプリケーションと、アプリケーションの動作を支援する制御プログラムとが含まれる。アプリケーションは、例えば、ディスプレイ２に所定の画像を表示させ、タッチセンサ２Ｂを介して検出されるユーザ操作に対応する処理を、コントローラ２１に実行させる。制御プログラムは、ＯＳ（Ｏｐｅｒａｔｉｎｇ  Ｓｙｓｔｅｍ）である。アプリケーション及び制御プログラムは、第１無線ユニット１４等による無線通信又は記憶媒体を介して、ストレージ２０にインストールされていてもよい。
【００４０】
コントローラ２１は、制御部として電子機器１全体を制御及び管理するものである。コントローラ２１は、各機能の処理を実行させるソフトウェアを読み込んだ汎用のＣＰＵ（中央処理装置）等の任意の好適なプロセッサによって構成される。又は、コントローラ２１は、例えば、各機能の処理に特化した専用のプロセッサによって構成されていてもよい。コントローラ２１が実行するプログラムは、ストレージ２０に格納される。
【００４１】
本実施形態では、コントローラ２１は、防犯ブザーキー３Ｆに対するユーザ操作を検出すると、防犯ブザー機能を実行する。例えば、コントローラ２１は、スピーカ９にブザー音を出力させたり、カメラ５Ｂに不審者を撮影させたりする。このとき、スピーカ９から出力されるブザー音は、ユーザが音量キー３Ｄを操作して設定できる最大値を超える音量であってもよい。さらに、コントローラ２１は、提携している警備会社又は予め登録された緊急連絡先等にメール機能等を利用して緊急通知してもよい。このとき、コントローラ２１は、緊急通知と共に、第２無線ユニット１５によって取得したユーザの位置情報を、警備会社又は予め登録された緊急連絡先等に送信してもよい。例えば、警備会社は、緊急通知を受けると、電子機器１の位置情報からユーザの位置を割り出し、割り出した位置の近くをパトロールしている警備員を現場に急行させたり、警察等に連絡したりする。
【００４２】
なお、防犯ブザー機能は、電子機器１が通常モードであるときだけではなく、電子機器１が疑似電源オフモードであるときも、実行可能である。コントローラ２１は、電子機器１が疑似電源オフモードであるときに、防犯ブザー機能を実行するときは、疑似電源オフモードを解除し、電子機器１を通常モードに移行させる。
【００４３】
なお、本実施形態では、コントローラ２１は、防犯に係る機能として防犯ブザー機能を実行するものとするが、これに限定されない。また、本実施形態では、防犯に係る機能すなわち防犯ブザー機能は、防犯ブザーキー３Ｆに対する操作をトリガーとして実行されるものとするが、これに限定されない。例えば、ユーザが、電子機器１に備えられたストラップを所定以上の力で引っ張ったときを契機として、防犯ブザー機能を実行してもよい。
【００４４】
コントローラ２１は、電子機器１のモードに従い、各機能を実行する。電子機器１のモードには、例えば、通常モードと、スリープモードと、電源オフモードと、疑似電源オフモードと、機内モードとが含まれる。以下、これらのモードについて説明する。
【００４５】
＜通常モード＞
通常モードとは、電子機器１の電源がオン状態であり、電子機器１の機能がほぼ全て実行可能にされているモードである。電子機器１の機能には、例えば、主要機能と、付加機能とが含まれる。主要機能は、例えば、着信機能、発信機能、メールの受信機能、メールの送信機能、防犯ブザー機能及び留守番電話機能等である。付加機能は、例えば、ディスプレイ２の表示機能、スピーカ９の報知機能、バイブ１１の報知機能、ランプ６の報知機能、タッチセンサ２Ｂの入力機能、ライト８の発光機能、操作キー３Ａ〜３Ｃの入力機能、音量キー３Ｄの入力機能、電源キー３Ｅの入力機能、第１無線ユニット１４の通信機能、第２無線ユニット１５の受信機能、第３無線ユニット１６の通信機能及びバッテリ１３の充電機能等である。
【００４６】
例えば、コントローラ２１は、通常モードでは、他の端末からの着信を第１無線ユニット１４によって検出すると、主要機能として着信機能を実行する。加えて、コントローラ２１は、付加機能として、ランプ６、スピーカ９及びバイブ１１に、報知機能を実行させる。
【００４７】
＜スリープモード＞
スリープモードとは、電子機器１の電源がオン状態であり、電子機器１の消費電力を低減させるために、電子機器１の付加機能の一部が制限されているモードである。スリープモードにおいて、制限される付加機能の一部は、例えば、ディスプレイ２の表示機能である。
【００４８】
例えば、コントローラ２１は、電子機器１が通常モードであるときに、操作キー３Ａ等に対するユーザ操作を所定時間検出しないとき、電子機器１を通常モードからスリープモードに移行させる。コントローラ２１は、スリープモード中、バックグランドでアプリケーションを実行してもよい。また、コントローラ２１は、他の端末からの着信を第１無線ユニット１４によって検出したときに、着信機能を実行してもよい。このとき、コントローラ２１は、付加機能として、ランプ６、スピーカ９及びバイブ１１に、報知機能を実行させる。
【００４９】
＜電源オフモード＞
電源オフモードとは、電子機器１の電源はオフ状態で、電子機器１の主要機能が制限されているモードである。なお、電源オフモードでは、電子機器１の付加機能のうち、電子機器１を起動させるための電源キー３Ｅの入力機能及びバッテリ１３の充電機能のみが実行可能にされている。
【００５０】
例えば、コントローラ２１は、電子機器１が電源オフモードであるときに、電源キー３Ｅに対するユーザ操作を検出すると、電子機器１を起動させる。また、例えば、コントローラ２１は、電源オフモード中、コネクタ１２に充電器のＵＳＢケーブルが接続されたことを検出すると、バッテリ１３を充電させる。
【００５１】
なお、電子機器１の電源オフモードへの移行は保護者が電子機器１に予め設定されている保護者向けのメニューを操作することで行われる。
【００５２】
＜疑似電源オフモード＞
疑似電源オフモードとは、電子機器１の電源はオン状態で、通常モードの一部の機能が制限されているモードである。言い換えれば、疑似電源オフモードは、電子機器１を電源オン状態にして電子機器１の特定の機能を実行可能に維持しつつ、通常モードの一部の機能を制限して、ユーザに対して電源がオフ状態であるかのように、電子機器１が装うためのモードである。例えば、公共の場において、特定の機能として防犯ブザー機能及び留守番電話機能を実行可能な状態に維持したまま、電源がオフ状態であるかのように装いたいときに、疑似電源オフモードが使用される。本実施形態では、疑似電源オフモードにおいて実行可能に維持される特定の機能は、防犯ブザー機能及び留守番電話機能であるものとする。また、実行可能に維持される特定の機能は、第１無線ユニット１４の通信機能又は第２無線ユニット１５の受信機能を含んでいてもよい。疑似電源オフモードにおいて、制限される一部の機能は、例えば、ディスプレイ２の表示機能、スピーカ９の報知機能、バイブ１１の報知機能、ランプ６の報知機能、タッチセンサ２Ｂの入力機能、ライト８の発光機能及び一部のハードキー（例えば、操作キー３Ａ〜３Ｃ）の入力機能のうちの、少なくとも１つを含む。
【００５３】
例えば、コントローラ２１は、電子機器１が通常モードであるときに、電源キー３Ｅが長く（例えば、１秒以上）押されたことを検出すると、電子機器１を通常モードから疑似電源オフモードに移行させる。コントローラ２１は、例えば、ディスプレイ２の表示機能をオフ状態にしたり、操作キー３Ａ〜３Ｃ及び音量キー３Ｄに対するユーザ操作を無効にしたりする。こうすると、ユーザに対して、電子機器１は、電源オフ状態であるかのように装うことができる。加えて、電子機器１が疑似電源オフモードになっていても、防犯ブザー機能及び留守番電話機能は、実行可能な状態に維持される。そのため、電子機器１が疑似電源オフモードになっていても、ユーザの身の安全等を確保することができる。
【００５４】
＜機内モード＞
機内モードとは、電子機器１の電源はオン状態で、所定基準としての航空機の安全基準に基づき、電子機器１の一部の通信機能が制限されているモードである。例えば、機内モードは、ユーザが電子機器１を飛行機に持ち込み、カメラ４Ｂの撮影機能等を利用したい場合に、使用されるモードである。
【００５５】
航空機の安全基準に基づき制限される一部の通信機能には、例えば、第１無線ユニット１４の通信機能、第３無線ユニット１６のＢｌｕｅｔｏｏｔｈ（登録商標）に準拠した通信機能、及び、第３無線ユニット１６のＷｉＦｉに準拠した通信機能の少なくとも１つが含まれる。
【００５６】
なお、第２無線ユニット１５の受信機能は、ＧＰＳ衛星からの電波を受信するための機能であり、強い電磁波を送信するための機能ではない。そのため、第２無線ユニット１５の受信機能は、機内モードにおいて特に制限されない。また、第３無線ユニット１６の通信機能に、ＩＳＯ／ＩＥＣ１４４４３又はＩＳＯ／ＩＥＣ１８０９２に準拠した通信機能が含まれる場合、機内モードにおいて、この通信機能が制限されてもよい。
【００５７】
例えば、コントローラ２１は、タッチセンサ２Ｂを介して、電子機器１を機内モードに移行させるためのユーザ操作を検出すると、第１無線ユニット１４の通信機能をオフ状態にする。さらに、コントローラ２１は、第３無線ユニット１６のＢｌｕｅｔｏｏｔｈ（登録商標）に準拠した通信機能、及び、第３無線ユニット１６のＷｉＦｉに準拠した通信機能をオフ状態にする。
【００５８】
なお、機内モードは、電子機器１を飛行機に持ち込むときだけではなく、電子機器１を通信機能の制限が求められる場所に持ち込むときにも、利用することができる。例えば、機内モードは、電子機器１を病院に持ち込むときにも、利用することができる。
【００５９】
＜防犯ブザー機能に関する処理＞
ところで、ユーザは、電子機器１を機内モードに移行させた後、機内モードが有効である状態で電子機器１を疑似電源オフモードに移行させてしまうことがある。例えば、ユーザは、電子機器１を飛行機に持ち込むときに電子機器を機内モードに移行させた後、飛行機から降りて公共の場に行き着いたときに、機内モードが有効である状態で電子機器１を疑似電源オフモードに移行させてしまうことがある。また、例えば、ユーザは、電子機器１を病院に持ち込むときに電子機器１を機内モードに移行させた後、病院が公共の場であることを考慮して、機内モードが有効である状態で電子機器１を疑似電源オフモードに移行させてしまうことがある。
【００６０】
機内モードが有効である状態で電子機器１を疑似電源オフモードに移行させると、電子機器１は、機内モードを有効に維持したまま、疑似電源オフモードになる。このような、機内モードが有効で、かつ疑似電源オフモードであるときは、電子機器１の一部の通信機能は、機内モードであるときと同様に、制限されている。
【００６１】
ここで、上述のように、防犯ブザー機能は、電子機器１が疑似電源オフモードであるときも、実行可能である。従って、防犯ブザー機能は、機内モードが有効で、かつ疑似電源オフモードであるときも、実行されることがある。上述のように、防犯ブザー機能が実行されるときは、疑似電源オフモードは解除される。しかしながら、機内モードが有効で、かつ疑似電源オフモードであるときに、防犯ブザー機能が実行されると、疑似電源オフモードが解除されても、機内モードは有効のままとなる。このような状態で防犯ブザー機能を実行すると、防犯ブザー機能のうち、機内モードによって制限されている通信機能に関する機能が実行されないといった事態が生じる。
【００６２】
例えば、機内モードによって第１無線ユニット１４の通信機能が制限されている場合、防犯ブザー機能を実行するときに、第１無線ユニット１４によるメール機能等で、提携している警備会社等に、緊急通知することができなくなる。さらに、第２無線ユニット１５の受信機能によってユーザの位置情報が取得できても、機内モードによって第１無線ユニット１４の通信機能が制限されていると、第１無線ユニット１４によるメール機能等で警備会社等にユーザの位置情報を送信できなくなる。
【００６３】
上記のような事態を回避すべく、本実施形態では、コントローラ２１は、機内モードが有効で、かつ疑似電源オフモードであるときに、防犯ブザー機能を実行するときは、位置情報を送信する通信機能の制限を解除する。こうすることで、機内モードが有効で、かつ疑似電源オフモードであるときであっても、防犯ブザー機能が実行されるときに、ユーザの位置情報を送信することが可能になる。
【００６４】
上記位置情報を送信する通信機能は、例えば、第１無線ユニット１４の通信機能である。なお、コントローラ２１は、上記位置情報を送信する通信機能の制限を解除する代わりに、機内モードを解除してもよい。
【００６５】
なお、上記機内モードが有効で、かつ疑似電源オフモードである状態は、例えば、電子機器１を機内モードに移行させた後、機内モードが有効である状態で電子機器１を疑似電源オフモードに移行させることで生じ得る。
【００６６】
また、上記機内モードが有効で、かつ疑似電源オフモードである状態は、電子機器１を疑似電源オフモードに移行させた後、外部からの遠隔操作によって機内モードを有効にさせることでも生じ得る。
【００６７】
［システム動作］
図４は、本発明の一実施形態に係る電子機器１の動作を示すフローチャートである。なお、以下では、ステップＳ１の処理の前に、電子機器１は疑似電源オフモードにされているものとする。また、以下では、ステップＳ１の処理の前に、ユーザによって防犯ブザーキー３Ｆが押されたものとする。また、以下では、位置情報を送信する通信機能は、第１無線ユニット１４の通信機能であるものとする。
【００６８】
コントローラ２１は、防犯ブザーキー３Ｆに対するユーザ操作を検出する（ステップＳ１）。すると、コントローラ２１は、疑似電源オフモードを解除し（ステップＳ２）、スピーカ９にブザー音を出力させる（ステップＳ３）。加えて、コントローラ２１は、カメラ５Ｂに不審者を撮影させてもよい。
【００６９】
コントローラ２１は、機内モードが有効か否か判定する（ステップＳ４）。コントローラ２１は、機内モードが有効であると判定したとき（ステップＳ４：Ｙｅｓ）、ステップＳ５の処理に進む。一方、コントローラ２１は、機内モードが無効であると判定したとき（ステップＳ４：Ｎｏ）、ステップＳ７の処理に進む。
【００７０】
ステップＳ５の処理では、コントローラ２１は、第１無線ユニット１４の通信機能の制限を解除する。
【００７１】
このようなステップＳ１〜５の処理によって、本実施形態では、機内モードが有効で、かつ疑似電源オフモードであるときに、防犯ブザー機能を実行するときは、位置情報を送信する通信機能の制限が解除される。こうすることで、機内モードが有効で、かつ疑似電源オフモードであるときであっても、防犯ブザー機能が実行されるときに、ユーザの位置情報を送信することが可能になる。
【００７２】
ステップＳ６の処理では、コントローラ２１は、第２無線ユニット１５によって取得したユーザの位置情報を、第１無線ユニット１４によるメール機能等を利用して送信する。なお、第２無線ユニット１５の受信機能は機内モードによる制限を受けない。そのため、ステップＳ１〜Ｓ５の処理と並行して、第２無線ユニット１５によってユーザの位置情報を取得することができることに留意する。
【００７３】
ステップＳ７の処理は、ステップＳ６の処理と同様であるため、説明を省略する。
【００７４】
なお、ステップＳ５の処理において、コントローラ２１は、第１無線ユニット１４の通信機能の制限を解除する代わりに、機内モードを解除してもよい。  
【００７５】
以上のように、本実施形態に係る電子機器１では、機内モードが有効で、かつ疑似電源オフモードであるときに、防犯ブザー機能を実行するときは、位置情報を送信する通信機能の制限が解除される。こうすることで、機内モードが有効で、かつ疑似電源オフモードであるときであっても、防犯ブザー機能が実行されるときに、ユーザの位置情報を送信することが可能になる。従って、本実施形態は、改善された電子機器１を提供することができる。
【００７６】
本発明の一実施形態を諸図面及び実施例に基づき説明してきたが、当業者であれば本開示に基づき種々の変形及び修正を行うことが容易であることに注意されたい。従って、これらの変形及び修正は本発明の範囲に含まれることに留意されたい。例えば、各構成部、各ステップ等に含まれる機能等は論理的に矛盾しないように再配置可能であり、複数の構成部及びステップ等を１つに組み合わせたり、或いは分割したりすることが可能である。また、本発明の一実施形態について装置を中心に説明してきた。しかしながら、本発明は装置が備えるプロセッサにより実行される方法、プログラム、又はプログラムを記録した記憶媒体としても実現し得るものである。従って、これらも、本発明の範囲にはこれらも包含されるものと理解されたい。
【符号の説明】
【００７７】
１  電子機器
２  ディスプレイ
２Ａ  表示パネル
２Ｂ  タッチセンサ
３  キー
３Ａ，３Ｂ，３Ｃ  操作キー
３Ｄ  音量キー
３Ｅ  電源キー
３Ｆ  防犯ブザーキー
４Ａ，４Ｂ  カメラ
５  レシーバ
６  ランプ
７  近接センサ
８  ライト
９  スピーカ
１０  マイク
１１  バイブ
１２  コネクタ
１３  バッテリ
１４  第１無線ユニット
１５  第２無線ユニット
１６  第３無線ユニット
２０  ストレージ
２１  コントローラ（制御部）
【図１】
2018110340.tif 000003
【図２】
2018110340.tif 000004
【図３】
2018110340.tif 000005
【図４】
2018110340.tif 000006
【手続補正書】
【提出日】平成29年7月13日(2017.7.13)
【手続補正１】
【補正対象書類名】特許請求の範囲
【補正対象項目名】全文
【補正方法】変更
【補正の内容】
【特許請求の範囲】
【請求項１】
電源がオン状態である通常モードと、
電源がオン状態であり、前記通常モードの一部の機能が制限され、電子機器の位置情報を取得する無線受信機能が実行可能な疑似電源オフモードと、
電源がオン状態であり、所定基準に基づき電子機器の無線通信機能が制限されている機内モードと、を有する電子機器であって、
前記電子機器は制御部を備え、
前記制御部は、前記機内モードが有効で、かつ前記疑似電源オフモードであるときに、前記位置情報の取得を継続し、防犯ブザー機能を実行するときは、前記位置情報を送信する通信機能の制限を解除する、電子機器。
【請求項２】
請求項１に記載の電子機器において、
前記制御部は、前記機内モードが有効で、かつ前記疑似電源オフモードであるときに、防犯ブザー機能を実行するときは、前記機内モードを解除する、電子機器。
【請求項３】
請求項２に記載の電子機器において、
前記制御部は、前記機内モードを解除した後に、前記電子機器の位置情報を送信する、電子機器。
【手続補正２】
【補正対象書類名】明細書
【補正対象項目名】０００６
【補正方法】変更
【補正の内容】
【０００６】
本発明の一実施形態に係る電子機器は、電源がオン状態である通常モードと、疑似電源オフモードと、機内モードとを有する。該疑似電源オフモードは、電源がオン状態であり、前記通常モードの一部の機能が制限され、電子機器の位置情報を取得する無線受信機能が実行可能なモードである。前記機内モードは、電源がオン状態であり、所定基準に基づき電子機器の無線通信機能が制限されているモードである。前記電子機器は制御部を備える。前記制御部は、前記機内モードが有効で、かつ前記疑似電源オフモードであるときに、前記位置情報の取得を継続し、防犯ブザー機能を実行するときは、前記位置情報を送信する通信機能の制限を解除する。